【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
移動体ＬＭＵ増強ワイヤレス位置検出システム（ＷＬＳ）であって、
複数の静止位置測定ユニット（ＬＭＵ）を含むＷＬＳであって、前記複数の静止位置測定ユニット（ＬＭＵ）は商用のワイヤレス通信システムにオーバーレイされて、前記複数のＬＭＵが、前記ワイヤレス通信システムのそれぞれの基地送受信機局（ＢＴＳ）と共に同一の場所に配置されるようにした、ＷＬＳと、
移動体位置測定ユニット（ＬＭＵ）および汎地球測地システム（ＧＰＳ）モジュールをサポートする移動体プラットフォームであって、前記ＧＰＳモジュールが、時間および周波数の基準、ならびに前記移動体ＬＭＵの位置および速度を表すデータを提供するように構成され、前記移動体ＬＭＵは、送受信機局からのダウンリンク信号を受けるように構成され前記ダウンリンク信号から複製信号を得るためのダウンリンク受信機を含み、前記複製信号は、前記送受信機局で受信された送信の複製を表す、移動体プラットフォームと、
を備えたワイヤレス位置検出システム。
【請求項２】
請求項１記載のシステムにおいて、前記移動体プラットフォームは航空機を備えた、システム。
【請求項３】
請求項１記載のシステムにおいて、前記移動体プラットフォームは地上車両を備えた、システム。
【請求項４】
請求項１記載のシステムにおいて、前記移動体ＬＭＵは、ワイヤレス・デバイスからの無線周波数（ＲＦ）送信を受信するように構成された受信機と、受信した送信のデータ・サンプルを格納するメモリとを備えた、システム。
【請求項５】
請求項４記載のシステムであって、更に、受信した送信を表す格納データを、前記少なくとも１つのＢＴＳから前記ダウンリンク信号を介して受けた前記受信した送信の複製と相関付けるプロセッサを備えた、システム。
【請求項６】
請求項５記載のシステムであって、更に、ネットワーク・コントローラからダウンリンク信号を受信し、前記複製を前記ダウンリンク信号から得る手段を備えた、システム。
【請求項７】
請求項１記載のシステムであって、更に、既知の場所に少なくとも１つの静止ＬＭＵを備えており、該少なくとも１つの静止ＬＭＵおよび前記移動体ＬＭＵは互いに時間および周波数の同期が取られた、システム。
【請求項８】
請求項７記載のシステムにおいて、前記少なくとも１つの静止ＬＭＵは、アンテナ、環境制御包囲空間、電力、およびバックホール通信資源を含む資源の共有を可能とするために、セル・サイト機器と共に同一の場所に配置された、システム。
【請求項９】
請求項７記載のシステムにおいて、前記移動体ＬＭＵおよび前記静止ＬＭＵは、ある時間期間にわたってワイヤレス・デバイスから無線周波数（ＲＦ）送信を受信するように構成されていて、到達時間差（ＴＤＯＡ）および到達周波数差（ＦＤＯＡ）処理によって、それらの場所および速度の判定を可能とする、システム。
【請求項１０】
請求項９記載のシステムにおいて、ＴＤＯＡおよびＦＤＯＡ処理による前記ワイヤレス・デバイスの場所および速度の判定のために、前記システムは、複数のＬＭＵがある時間期間にわたって前記ワイヤレス・デバイスから信号を受信し、各ＬＭＵの場所および速度が、前記信号を受信している時間中に分かるように構成された、システム。
【請求項１１】
請求項１記載のシステムにおいて、前記移動体プラットフォームは、更に、基地局からのダウンリンク送信、移動局からのアップリンク送信、およびＧＰＳ信号を受信するように構成されたアンテナおよび受信機を備えた、システム。
【請求項１２】
請求項１記載のシステムにおいて、前記移動体プラットフォームは、更に、地上局からコマンドおよび制御信号を受信し、前記コマンドおよび制御信号を前記移動体ＬＭＵに供給するように構成されたワイヤレス通信リンクを備えた、システム。
【請求項１３】
請求項１記載のシステムにおいて、少なくとも１つの移動体プラットフォームが、位置検出対象のワイヤレス・デバイスが展開されている地理的区域の画像を供給するように構成された撮像デバイスを備えた、システム。
【請求項１４】
請求項１３記載のシステムであって、更に、前記ＷＬＳが供給する前記ワイヤレス・デバイスの場所を、前記画像と関連付け、これによって、前記ワイヤレス・デバイスの場所に関する追加情報を提供する手段を備えた、システム。
【請求項１５】
請求項１３記載のシステムにおいて、前記撮像デバイスは、赤外線撮像が可能である、システム。
【請求項１６】
請求項１記載のシステムにおいて、前記移動体プラットフォームは航空機を備えており、前記移動体ＬＭＵは、ワイヤレス・デバイスからの無線周波数（ＲＦ）送信を受信するように構成された受信機と、受信した送信のデータ・サンプルを格納するメモリとを備えており、更に、受信した送信を表す格納データを該受信した送信の複製と相関付けるプロセッサを備えており、更に、基地送受信局からダウンリンク信号を受信し、前記複製を前記ダウンリンク信号から得る手段を備えており、更に、少なくとも１つの静止ＬＭＵを既知の場所に備えており、該少なくとも１つの静止ＬＭＵおよび前記移動体ＬＭＵは、互いに時間および周波数の同期が取られるように構成されており、前記少なくとも１つの静止ＬＭＵは、アンテナ、環境制御包囲空間、電力、およびバックホール通信資源を含む資源の共有を可能とするために、セル・サイト機器と共に同一の場所に配置されており、前記移動体ＬＭＵおよび前記静止ＬＭＵは、ある時間期間にわたってワイヤレス・デバイスから無線周波数（ＲＦ）送信を受信するように構成されていて、到達時間差（ＴＤＯＡ）および到達周波数差（ＦＤＯＡ）処理によってそれらの場所および速度の判定を可能とし、ＴＤＯＡおよびＦＤＯＡ処理による前記ワイヤレス・デバイスの場所および速度の判定のために、前記システムは、複数のＬＭＵがある時間期間にわたって前記ワイヤレス・デバイスから信号を受信し、各ＬＭＵの場所および速度が、前記信号を受信している時間中に分かるように構成されており、前記移動体プラットフォームは、基地局からのダウンリンク送信、移動局からのアップリンク送信、およびＧＰＳ信号を受信するように構成されたアンテナおよび受信機を備えており、前記移動体プラットフォームは、更に、地上局からコマンドおよび制御信号を受信し、前記コマンドおよび制御信号を前記移動体ＬＭＵに供給するように構成されたワイヤレス通信リンクを備えており、前記少なくとも１つの移動体プラットフォームが、位置検出対象のワイヤレス・デバイスが展開されている地理的区域の画像を供給するように構成された撮像デバイスを備えており、更に、前記ＷＬＳが供給する前記ワイヤレス・デバイスの場所を、前記画像と関連付ける手段を備えた、システム。
【請求項１７】
ワイヤレス位置検出システム（ＷＬＳ）がカバーする領域において動作する移動局（ＭＳ）の位置検出方法であって、
少なくとも１つの移動体位置測定ユニット（ＬＭＵ）を含む少なくとも３箇所の地理的に離れた信号収集サイトにおいて、前記ＭＳからの送信を受信するステップと、
少なくとも１つの信号収集サイトまたはネットワーク・コントローラから前記移動体ＬＭＵにダウンリンク信号を送信するステップであって、前記ダウンリンク信号は、信号収集サイトで受信された前記ＭＳからの前記送信の複製を得ることを前記移動体ＬＭＵに可能するデータを含む、ステップと、
前記移動体ＬＭＵにおいて、前記複製と、前記移動体ＬＭＵにおいて受信された前記ＭＳからの前記送信のコピーとに対する相関付け処理を実行して、前記移動体ＬＭＵにおける到達時間（ＴＯＡ）データと到達時間差（ＴＤＯＡ）データのうちの一方を判定するステップと、
前記移動体ＬＭＵにおいて判定した前記ＴＯＡデータまたはＴＤＯＡデータを使用して、前記ＭＳの場所を推定するステップと、
を備えた、方法。
【請求項１８】
請求項１７記載の方法であって、更に、前記ＭＳの推定した場所と比較するために、前記ＭＳの場所を包囲する区域の画像を供給するステップを備えた、方法。
【請求項１９】
請求項１８記載の方法において、前記画像を記録し、セーブする、方法。
【請求項２０】
請求項１７記載の方法であって、更に、時間および周波数基準、ならびに前記移動体ＬＭＵの三次元位置および速度を、前記移動体プラットフォーム上に配備したＧＰＳモジュールの使用によって供給するステップを備えた、方法。
【請求項２１】
請求項２０記載の方法であって、更に、到達時間差（ＴＤＯＡ）を用いて前記ＭＳの場所を推定するときに、前記移動体ＬＭＵの前記三次元位置および速度を補償するステップを備えた、方法。
【請求項２２】
請求項１７記載の方法であって、更に、前記移動体ＬＭＵが受信した前記ＭＳの送信をディジタル化し、格納し、更に当該格納した送信を前記ＭＳの送信の複製と相関付けるステップを備えた、方法。
【請求項２３】
請求項２２記載の方法であって、更に、基地送受信局からのダウンリンク送信から前記複製を得るステップを備えた、方法。
【請求項２４】
請求項２２記載の方法であって、更に、ネットワーク・コントローラからのダウンリンク送信から前記複製を得るステップを備えた、方法。
【請求項２５】
ワイヤレス位置検出システム（ＷＬＳ）において用いるための移動体システムであって、
移動体プラットフォームが支持する位置測定ユニット（ＬＭＵ）と、
前記移動体プラットフォームが支持し、前記移動体ＬＭＵに動作的に結合されたＧＰＳモジュールであって、前記ＧＰＳモジュールが前記移動体ＬＭＵの三次元位置および速度を判定する、ＧＰＳモジュールと、
少なくとも１つの信号収集サイトまたはネットワーク・コントローラからダウンリンク信号を受けるように構成されたダウンリンク受信機であって、前記ダウンリンク信号は、前記移動体システムから離れた信号収集サイトで受信された移動局（ＭＳ）からの送信の複製を得ることを前記ＬＭＵに可能するデータを含む、ダウンリンク受信機と、
を備えた移動体システム。
【請求項２６】
請求項２５記載の移動体システムにおいて、前記移動体プラットフォームは航空機を備えた、移動体システム。
【請求項２７】
請求項２５記載の移動体システムにおいて、前記移動体ＬＭＵは、ワイヤレス・デバイスから無線周波数（ＲＦ）送信を受信するように構成された、移動体システム。
【請求項２８】
請求項２７記載の移動体システムにおいて、前記移動体プラットフォームは、基地送受信局からのダウンリンク送信、移動局からのアップリンク送信、およびＧＰＳ信号を受信するように構成されたアンテナを備えた、移動体システム。
【請求項２９】
請求項２８記載の移動体システムにおいて、前記移動体プラットフォームは、更に、コマンドおよび制御信号を前記移動体ＬＭＵに供給するように構成されたワイヤレス通信リンクを備えた、移動体システム。
【請求項３０】
請求項２５記載の移動体システムにおいて、前記移動体プラットフォームは、更に、撮像デバイスを備えた、移動体システム。
【請求項３１】
請求項３０記載の移動体システムであって、更に、前記ワイヤレス・デバイスの場所を、前記撮像デバイスによって得た画像と関連付ける手段を備えた、移動体システム。
【請求項３２】
請求項３０記載の移動体システムにおいて、前記撮像デバイスは、赤外線画像を供給するように構成された、移動体システム。
【請求項３３】
請求項２５記載の移動体システムにおいて、前記移動体ＬＭＵは、ワイヤレス・デバイスから無線周波数（ＲＦ）送信を受信するように構成された受信機と、受信した送信のデータ・サンプルを格納するメモリとを備えており、更に、受信した送信を表す格納データを、前記受信した送信の複製と相関付けるプロセッサを備えた、移動体システム。